(57)【要約】      （修正有）【課題】筆記機能及び接触式入力機能を兼備するタッチペンを提供する。【解決手段】タッチペンは、タッチアセンブリ、回転部品及び筆記アセンブリを備える。タッチアセンブリは、中空の第一スリーブと、第一スリーブ内に伸縮可能に装着される第一ペン芯部と、第一スリーブ内にスライド可能に装着される第一連結部品と、を備える。回転部品はねじ山が設けられた第一ロッド部を有し、第一ロッド部が第一連結部品に螺合され且つ第一ペン芯部内に装入さる。筆記アセンブリは、中空の第二スリーブと、第二スリーブ内に伸縮可能に装着される第二ペン芯部と、第二ペン芯と一体に固定され且つ第二スリーブ内にスライド可能に装着される第二連結部品と、を備える。回転部品は第一ロッド部と同じ軸線上に位置する第二ロッド部を有し、第二ロッド部が第二連結部品に螺合され且つ第二ペン芯部内に装入される。【選択図】図１
0003168952.tif 000002
【実用新案登録請求の範囲】
【請求項１】
タッチアセンブリ、筆記アセンブリ及び回転部品を備えるタッチペンであって、
前記タッチアセンブリは、中空の第一スリーブと、前記第一スリーブ内に伸縮可能に装着される第一ペン芯部と、前記第一ペン芯部に一体に固定され且つ前記第一スリーブ内にスライド可能に装着される第一連結部品と、を備え、
前記第一スリーブにはガイド溝が設けられ、前記第一連結部品の外周面にはスライドピンが設けられ、前記スライドピンは前記ガイド溝にスライド可能に収納され、
前記第一連結部品の内周面には、ねじ山凹溝が設けられ、前記回転部品はねじ山が設けられた第一ロッド部を有し、前記第一ロッド部が前記第一連結部品に螺合され且つ前記第一ペン芯部内に装入され、
前記筆記アセンブリは、中空の第二スリーブと、前記第二スリーブ内に伸縮可能に装着される第二ペン芯部と、前記第二ペン芯と一体に固定され且つ前記第二スリーブ内にスライド可能に装着される第二連結部品と、を備え、
前記第二スリーブにはガイド溝が設けられ、前記第二連結部品の外周面にはスライドピンが設けられ、前記スライドピンは前記第二スリーブのガイド溝内にスライド可能に収納され、
前記第二連結部品の内周面には、ねじ山凹溝が設けられ、前記回転部品は前記第一ロッド部と同じ軸線上に位置する第二ロッド部をさらに有し、前記第二ロッド部が前記第二連結部品に螺合され且つ前記第二ペン芯部内に装入されることを特徴とするタッチペン。
【請求項２】
前記タッチアセンブリは第一位置決め手段をさらに備え、前記第一位置決め手段により前記回転部品を前記第一スリーブに回転可能に固定し、
前記筆記アセンブリは第二位置決め手段をさらに備え、前記第二位置決め手段により前記回転部品を前記第二スリーブに回転可能に固定することを特徴とする請求項１に記載のタッチペン。
【請求項３】
前記回転部品は、前記第一ロッド部及び前記第二ロッド部を連結する操作部をさらに備え、
前記第一ロッド部及び前記第二ロッド部には、それぞれ脱落防止翼片が設けられて、前記第一スリーブ及び前記第二スリーブの一端には、それぞれ止め板が設けられ、
前記第一スリーブの止め板が前記第一ロッド部の脱落防止翼片と前記操作部の一端との間に挟持されて、前記操作部、前記第一ロッド部の脱落防止翼片及び前記第一スリーブの止め板が前記第一位置決め手段を構成し、
前記第二スリーブの止め板が前記第二ロッド部の脱落防止翼片と前記操作部の他端との間に挟持されて、前記操作部、前記第二ロッド部の脱落防止翼片及び前記第二スリーブの止め板が前記第二位置決め手段を構成することを特徴とする請求項２に記載のタッチペン。
【請求項４】
前記止め板には取付孔が設けられ、前記第一ロッド部と前記第二ロッド部との脱落防止翼片がそれぞれ前記取付孔を介して前記止め板を貫通することを特徴とする請求項３に記載のタッチペン。
【考案の詳細な説明】
【技術分野】
【０００１】
本考案は、タッチペンに関し、特に多機能を有するタッチペンに関するものである。
【背景技術】
【０００２】
従来の電子装置に用いるタッチペンは、単純な接触式入力機能を備えるだけで、紙に筆記することができない。人々が外出時に電話番号及びアドレスなどの情報を記録しようとしたときに、身の回りにボールペン等がなければもどかしい思いをする。
【考案の概要】
【考案が解決しようとする課題】
【０００３】
本考案は上記の問題点を考慮してなされたものであり、筆記機能及び接触式入力機能を兼備するタッチペンを提供することを目的とする。
【課題を解決するための手段】
【０００４】
前記課題を解決するために、本考案に係るタッチペンは、タッチアセンブリ、筆記アセンブリ及び回転部品を備える。前記タッチアセンブリは、中空の第一スリーブと、前記第一スリーブ内に伸縮可能に装着される第一ペン芯部と、前記第一ペン芯部に一体に固定され且つ前記第一スリーブ内にスライド可能に装着される第一連結部品と、を備える。前記第一スリーブにはガイド溝が設けられ、前記第一連結部品の外周面にはスライドピンが設けられ、前記スライドピンが前記ガイド溝にスライド可能に収納される。前記第一連結部品の内周面には、ねじ山凹溝が設けられ、前記回転部品はねじ山が設けられた第一ロッド部を有し、前記第一ロッド部が前記第一連結部品に螺合され且つ前記第一ペン芯部内に装入される。前記筆記アセンブリは、中空の第二スリーブと、前記第二スリーブ内に伸縮可能に装着される第二ペン芯部と、前記第二ペン芯と一体に固定され且つ前記第二スリーブ内にスライド可能に装着される第二連結部品と、を備える。前記第二スリーブにはガイド溝が設けられ、前記第二連結部品の外周面にはスライドピンが設けられ、前記スライドピンは前記第二スリーブのガイド溝内にスライド可能に収納される。前記第二連結部品の内周面には、ねじ山凹溝が設けられ、前記回転部品は前記第一ロッド部と同じ軸線上に位置する第二ロッド部をさらに有し、前記第二ロッド部が前記第二連結部品に螺合され且つ前記第二ペン芯部内に装入される。
【考案の効果】
【０００５】
従来の技術に比べて、本考案のタッチペンを使用する場合、第一スリーブ又は回転部品の操作部を回転させると、第一ペン芯部が前記第一スリーブから露出されるので、ユーザーは前記第一ペン芯部で電子装置のタッチパネルをタッチして接触式入力機能を実現する。第二スリーブ又は操作部を回転させると、第二ペン軸が前記第二スリーブから露出されるので、ユーザーは前記第二ペン軸で紙に書くことができる。従って、本考案のタッチペンは、筆記機能及び接触式入力機能を兼備する。
【図面の簡単な説明】
【０００６】
【図１】本考案の実施形態に係るタッチペンの分解図である。
【図２】図１に示したタッチペンの別方向から矢視の分解図である。
【図３】図１に示したタッチペンの組立図である。
【図４】図３に示したタッチペンの局部断面図である。
【図５】図３に示したタッチペンのＶ−Ｖ線に沿う断面図である。
【図６】図３に示したタッチペンのＶＩ−ＶＩ線に沿う断面図である。
【図７】図６に示したタッチペンの使用状態を示す断面図である。
【図８】図６に示したタッチペンのもう１つの使用状態を示す断面図である。
【考案を実施するための形態】
【０００７】
図１及び図２に示したように、本考案のタッチペン１００は、タッチアセンブリ１０と、筆記アセンブリ２０と、前記タッチアセンブリ１０及び前記筆記アセンブリ２０を連結する回転部品３０と、を備える。
【０００８】
前記タッチアセンブリ１０は、第一スリーブ１１、第一ガイド部品１３、第一ペン芯部１５、第一連結部品１７及び第一固定部品１９を備える。前記第一ガイド部品１３が前記第一スリーブ１１内に固定され、前記第一連結部品１７が前記第一ペン芯部１５の一端に係止され、前記第一ペン芯部１５と前記第一連結部品１７とが前記第一ガイド部品１３内にスライド可能に収納され、前記第一固定部品１９が前記第一ガイド部品１３に連結され且つ前記第一スリーブ１１内に固定される。前記回転部品３０の一端が前記第一連結部品１７に回動可能に装着される。
【０００９】
前記第一スリーブ１１は、中空の円柱体であり、その一端の内表壁には２つの第一係止爪１１１（図４を参照）が対向して凸設され、その他端の内表壁には２つの第二係止爪１１３が対向して凸設される。前記第一係止爪１１１と前記第一ガイド部品１３とが互いに係合して、前記第一ガイド部品１３が前記第一スリーブ１１内に固定される。前記第二係止爪１１３と前記第一固定部品１９とが互いに係合して、前記第一固定部品１９が前記第一スリーブ１１内に固定される。前記第一スリーブ１１の内表壁には、前記第一スリーブ１１の一端から他端まで延在する２つの回転止め溝１１５が対向して設けられる。２つの前記回転止め溝１１５は、前記第一ガイド部品１３が前記第一スリーブ１１に対して相対的に回動できないようにする。
【００１０】
前記第一ガイド部品１３は、中空の柱体であり、周壁１３０を備える。前記周壁１３０には、前記第一ガイド部品１３の軸方向に沿って延在し且つ前記周壁１３０を貫通する２つのガイド溝１３１が対向して設けられる。２つの前記ガイド溝１３１は、前記第一連結部品１７をガイドして前記第一ガイド部品１３に対して相対的にスライドさせる。前記周壁１３０の一端には、２つの係止用切欠き１３３が対向して設けられ、前記周壁１３０の他端には、２つのＵ字状溝１３５が対向して設けられる。前記２つの係止用切欠き１３３は、前記周壁１３０の端部に貫通して、前記第一固定部品１９を係止することに用いられる。前記周壁１３０の２つの前記Ｕ字状溝１３５に囲まれる部分は、それぞれ１つの係止片１３７を形成する。各々の係止片１３７の外表面には、係止凹所１３７１が設けられる。前記第一スリーブ１１の２つの第一係止爪１１１が前記第一ガイド部品１３の２つの前記係止凹所１３７１に係合すると、前記第一ガイド部品１３が前記第一スリーブ１１内に固定される。前記周壁１３０の両端の外表面には、それぞれ１つの位置決めリブ１３９が突設される。２つの前記位置決めリブ１３９が前記第一スリーブ１１の２つの回転止め溝１１５内に収納されて、前記第一ガイド部品１３の前記第一スリーブ１１に対する相対的な回動を阻止する。前記第一ガイド部品１３は、ポリフォルムアルデヒド（ＰＯＭ）のような耐摩擦性を有する弾性材料からなる。
【００１１】
前記第一ペン芯部１５は、中空の主体部１５１及び前記主体部１５１の一端に連結されるペン先部１５３を備える。前記主体部１５１の前記ペン先部１５３の反対側の他端には、前記主体部１５１の端縁に連通する係止孔１５１１が設けられる。前記係止孔１５１１は、前記第一連結部品１７を係止することに用いられる。ユーザーは、前記ペン先部１５３を電子装置のタッチパネルにタッチして、接触式入力機能を実現する。
【００１２】
前記第一連結部品１７は、固定部１７１及び前記固定部１７１に連結されるスライド部１７３を備える。前記固定部１７１の外周壁には、２つの固定ピン１７１１が同軸に設けられる。前記第一連結部品１７の２つの固定ピン１７１１が前記第一ペン芯部１５の２つの係止孔１５１１に係合して、前記第一連結部品１７と前記第一ペン芯部１５とが一体に連結される。前記スライド部１７３の外周壁には、２つのスライドピン１７３１が同軸に設けられる。前記第一連結部品１７の２つのスライドピン１７３１が前記第一ガイド部品１３の２つのガイド溝１３１にスライド可能に収納されて、前記第一連結部品１７の前記第一ガイド部品１３に対するスライドをガイドする。前記スライド部１７３の内周壁には、前記スライド部１７３の長軸方向に沿ってねじ山凹溝１７３３が設けられる。
【００１３】
前記第一固定部品１９は、筒状部１９１、前記筒状部１９１の一端から突出される２つの係止フック１９３及び前記筒状部１９１の他端に設けられる止め板１９５を備える。前記筒状部１９１の周壁には、２つのＵ字状の貫通溝１９１１が対向して設けられる。前記筒状部１９１の２つの前記Ｕ字状貫通溝１９１１に囲まれる部分は、それぞれ１つの係止片１９１３を形成する。各々の係止片１９１３の外表面には、１つの係合凹所１９１５が設けられる。前記第一スリーブ１１の２つの第二係止爪１１３が前記第一固定部品１９の２つの係合凹所１９１５に係合して、前記第一固定部品１９が前記第一スリーブ１１内に固定される。前記筒状部１９１の外表面には、２つの位置決めリブ１９７が設けられる。前記第一固定部品１９の２つの位置決めリブ１９７が前記第一スリーブ１１の２つの回転止め溝１１５内に収納されて、前記第一固定部品１９が前記第一スリーブ１１に対して相対的に回動できないようにする。前記係止フック１９３が、前記第一ガイド部品１３の係止用切欠き１３３に係合される。前記止め板１９５の中央部には、細長い取付孔１９５１が設けられ、前記回転部品３０は前記取付孔１９５１から前記第一固定部品１９を貫通する。
【００１４】
前記筆記アセンブリ２０は、第二スリーブ２１、第二ガイド部品２３、第二ペン軸２５、第二連結部品２７及び第二固定部品２９を備える。前記第二スリーブ２１、前記第二ガイド部品２３、前記第二連結部品２７及び前記第二固定部品２９の構造及び形状は、それぞれ前記第一スリーブ１１、前記第一ガイド部品１３、前記第一連結部品１７及び前記第一固定部品１９の構造及び形状と共通である。前記第二ペン軸２５は、主体部２５１と、前記主体部２５１内に装着されるペン芯部２５３と、前記ペン芯部２５３を前記主体部２５１に位置決めするためのキャップ２５５と、を備える。前記主体部２５１の一端には、前記第二連結部品２７を係止するための係止孔２５１１が設けられる。ユーザーは、前記ペン芯部２５３で紙に書く。
【００１５】
前記回転部品３０は、操作部３１、第一ロッド部３３及び第二ロッド部３５を備える。前記第一ロッド部３３及び前記第二ロッド部３５は、前記操作部３１の両側に同軸に設置される。前記第一ロッド３３の外周面には、ねじ山３３１が設けられる。前記ねじ山３３１は、前記第一連結部品１７のねじ山凹溝１７３３に螺合して、前記第一ロッド部３３を前記第一連結部品１７のスライド部１７３に螺着する。前記第一ロッド部３３の前記操作部３１に近い位置には、脱落防止翼片３３３が設けられる。前記脱落防止翼片３３３と前記操作部３１とが、離間して設けられる。前記タッチペンを一体に組立てた後、前記止め板１９５が前記脱落防止翼片３３３と前記操作部３１との間に挟持されるので、前記第一固定部品１９と前記第一ロッド部３３とは分離できない。ユーザーは、前記操作部３１により前記第一ロッド部３３を回動させる。前記第二ロッド部３５の形状及び機構は、前記第一ロッド部３３と一致し、両者の長さを必要に応じて設定できる。
【００１６】
以下、図１乃至図４を参照しながら、本考案に係るタッチペン１００の組立ステップについて詳細に説明する。
【００１７】
まず、前記第一ガイド部品１３を前記第一スリーブ１１内に装入する。具体的に説明すると、前記第一ガイド部品１３の係止用切欠き１３３が設けられた一端を前記第一スリーブ１１に対面させて、且つ前記位置決めリブ１３９と前記回転止め溝１１５とを位置合せしてから、前記第一スリーブ１１の第一係止爪１１１が前記係止片１３７の係止凹所１３７１に嵌入するまで、前記回転止め溝１１５に沿って前記第一ガイド部品１３を前記第一スリーブ１１内に押し込む。
【００１８】
次に、前記第一連結部品１７の固定部１７１を前記主体部１５１内に押し込んで、前記固定ピン１７１１を前記第一ペン芯部１５の係止孔１５１１に係合する。続いて、一体に組み付けられた前記第一連結部品１７及び前記第一ペン芯部１５を、前記第一ガイド部品１３内に装入して、前記固定部１７１のスライドピン１７３１が前記第一ガイド部品１３のガイド溝１３１に嵌入して、前記スライドピン１７３１は前記ガイド溝１３１に沿ってスライドすることができる。
【００１９】
次に、前記第一固定部品１９を前記第一スリーブ１１内に収納して、前記係止フック１９３を前記第一ガイド部品１３の係止用切欠き１３３に係合すると共に、前記第一スリーブ１１の第二係止爪１１３を前記第一固定部品１９の係合凹所１９１５に係合する。このようにして、前記第一固定部品１９が前記第一スリーブ１１内に強固に固定される。しかも、前記第一固定部品１９の外周壁の位置決めリブ１９７が前記第一スリーブ１１の回転止め溝１１５内に嵌合されるので、前記第一固定部品１９は前記第一スリーブ１１に対して相対的に回動できない。
【００２０】
最後に、前記第一ロッド部３３を前記取付孔１９５１に挿入してから、前記操作部３１を回動させて前記第一ロッド部３３を前記第一連結部品１７のスライド部１７３に螺合させながら、前記第一ロッド部３３を前記第一スリーブ１１内に装入する。前記脱落防止翼片３３３が前記第一固定部品１９の止め板１９５に係止されると、前記操作部３１を回動させて、前記脱落防止翼片３３３と前記取付孔１９５１とを位置合せしてから、前記第一スリーブ１１に向って前記回転部品３０を押圧して、前記止め板１９５を前記脱落防止翼片３３３と前記操作部３１との間に挟持する。
【００２１】
前記筆記アセンブリ２０の組立ステップは、前記タッチアセンブリ１０の組立ステップと一致する。簡単に説明すると、まず、前記第二ガイド部品２３を前記第二スリーブ２１内に押し込んで、前記第二ガイド部品２３の一端を前記第二スリーブ２１に固定する。次に、前記ペン芯部２５３を前記主体部２５１内に収納してから、前記キャップ２５５を前記主体部２５１の一端に螺合して、前記ペン芯部２５３のペン先部を前記キャップ２５５から突出させる。次に、前記第二連結部品２７のスライドピンを前記第二ガイド部品２３のスライド溝内に収納すると共に、前記第二連結部品２７の固定ピンを前記第二ペン芯部２５の係止孔２５１１に係合して、前記第二連結部品２７を前記第二ペン芯部２５の主体部２５１に固定する。次に、前記第二固定部品２９を前記第二スリーブ２１内に収納すると共に、前記第二固定部品２９の係止フックを前記第二ガイド部品２３の一端に係合させ、且つ前記第二固定部品２９の外周面の係合凹所を前記第二スリーブ２１の他端の内周面に係止させる。次に、前記第二ロッド部３５を前記第二固定部品２９の取付孔に挿入してから、前記操作部３１を回動させて前記第二ロッド部３５を前記第二連結部品２７のスライド部に螺合させながら、前記第二ロッド部３５を前記第二スリーブ２１内に装入する。最後に、前記第二スリーブ２１に向って前記第二ロッド部３５を押圧して、前記第二固定部品２９の止め板を前記第二ロッド部３５の脱落防止翼片と前記操作部３１との間に挟持する。これで、前記筆記アセンブリ２０と前記タッチアセンブリ１０とを一体に組み立てる。
【００２２】
図７及び図８に示したように、前記タッチペン１００を使用する場合、前記操作部３１を握って前記第一スリーブ１１を回動させるか又は前記第一スリーブ１１を握って前記操作部３１を回動させて、前記第一ロッド部３３を前記第一連結部品１７に対して相対的に回転させる。前記第一固定部品１９の止め板１９５が、前記脱落防止翼片３３３と前記操作部３１との間に挟持されるので、前記回転部品３０が前記第一固定部品１９に回動可能に固定される。従って、前記第一ロッド部３３の回動に伴い、前記第一連結部品１７は前記第一ガイド部品１３に規制されて前記スライド溝１３１に沿ってスライドする。このようにして、前記操作部３１又は前記第一スリーブ１１の回転方向を変更することにより、前記第一ペン芯部１５を前記第一スリーブ１１の外部に露出させるか又は前記第一ペン芯部１５を前記第一スリーブ１１内に収納させる。同じく、前記操作部３１又は前記第二スリーブ２１の回転方向を変更することにより、前記第二ペン軸２５を前記第二スリーブ２１の外部に露出させるか又は前記第二ペン軸２５を前記第二スリーブ２１内に収納させる。
【００２３】
前記第一ガイド部品１３のガイド溝１３１を前記第一スリーブ１１に直接設けると、前記第一連結部品１７のスライドピン１７３１は、前記第一スリーブ１１のガイド溝１３１に沿ってスライドしながら、前記第一ペン芯部１５をガイドして前記第一スリーブ１１に対して相対的にスライドさせる。即ち、前記第一ガイド部品１３を省略してもよい。同じく、前記第二ガイド部品２３を省略してもよい。
【００２４】
本実施形態において、容易に製造するために、前記第一ペン芯部１５及び前記第一連結部品１７をそれぞれ独立して製造したが、両者を一体に成型してもよい。同じく、前記第二ペン軸２５と前記第二連結部品２７とを一体に成型してもよい。
【００２５】
前記第一固定部品１９の止め板１９５は、前記回転部品３０の脱落防止翼片３３３及び前記操作部３１とともに位置決め手段を組成して、前記回転部品３０の前記第一固定部品１９の軸方向に沿う運動を阻止する役割を果しているが、前記止め板１９５を前記第一スリーブ１１に直接設けることで、前記第一固定部品１９を省略してもよい。同じく、前記第二固定部品２９を省略してもよい。
【００２６】
前記第一係止爪１１１及び前記係止片１３７は、前記第一ガイド部品１３を前記第一スリーブ１１に固定するために用いられ、前記第二係止爪１１３及び前記係止片１９１３は、前記第一固定部品１９を前記第一スリーブ１１に固定するために用いられ、前記第一係止爪１１１、前記係止片１３７、前記第二係止爪１１３及び前記係止片１９１３の数量をそれぞれ１つにすることができる。前記筆記アセンブリ２０も同様である。
【００２７】
本考案のタッチペン１００において、前記第一スリーブ１１又は前記回転部品３０の操作部３１を回動させることにより、前記第一ペン芯部１５を前記第一スリーブ１１から露出させると、ユーザーは前記第一ペン芯部１５で電子装置のタッチパネルをタッチして接触式入力機能を実現する。また、前記第二スリーブ２１又は前記操作部３１を回動させることにより、前記第二ペン軸２５を前記第二スリーブ２１から露出させると、ユーザーは前記第二ペン軸２５で紙に書くことができる。従って、本考案のタッチペン１００は、筆記機能及び接触式入力機能を兼備する。
【００２８】
以上、本考案の好適な実施形態について詳細に説明したが、本考案は前記実施形態に限定されるものではなく、本考案の範囲内で種々の変形又は修正が可能であり、該変形又は修正もまた、本考案の特許請求の範囲内に含まれるものであることは言うまでもない。
【符号の説明】
【００２９】
１０        タッチアセンブリ
１１        第一スリーブ
１３        第一ガイド部品
１５        第一ペン芯部
１７        第一連結部品
１９        第一固定部品
２０        筆記アセンブリ
２１        第二スリーブ
２３        第二ガイド部品
２５        第二ペン軸
２７        第二連結部品
２９        第二固定部品
３０        回転部品
３１        操作部
３３        第一ロッド部
３５        第二ロッド部
１１１      第一係止爪
１１３      第二係止爪
１１５      回転止め溝
１３０      周壁
１３３      係止用切欠き
１３５      「Ｕ」字状溝
１３７      係止片
１３９      位置決めリブ
１５１      主体部
１５３      ペン先部
１７１      固定部
１７３      スライド部
１９１      筒状部
１９３      係止フック
１９５      止め板
１９７      位置決めリブ
２５１      主体部
２５３      ペン芯
２５５      キャップ
３３１      ねじ山
３３３      脱落防止翼片
１３７１    係止凹所
１５１１    係止孔
１７１１    固定ピン
１７３１    スライドピン
１７３３    ねじ山凹溝
１９１１    Ｕ字状貫通溝
１９１３    係止片
１９１５    係合凹所
１９５１    取付孔
２５１１    係止孔
【図１】
0003168952.tif 000003
【図２】
0003168952.tif 000004
【図３】
0003168952.tif 000005
【図４】
0003168952.tif 000006
【図５】
0003168952.tif 000007
【図６】
0003168952.tif 000008
【図７】
0003168952.tif 000009
【図８】
0003168952.tif 000010